(57)【要約】 【課題】  導通不良の発生を防止して長期にブラシ部の動作を確保する。【解決手段】  電動で振動され歯をブラッシングするブラシ部１と、ブラシ部１を支持して手で掴めるように筒形に形成された把手部２と、把手部２の内部に収容されブラシ部１の駆動エネルギ源となるバッテリ３と、把手部２の底部分に抜差し可能に設けられた蓋部４と、蓋部４に設けられバッテリ３の一方の極と接続して一部が把手部２側へ突出されたリード５とを備えている。蓋部４は、リードの５のリード片５２の大部分が収容されるリードカバー４６が形成されている。【選択図】        図１
0003106360.tif 000002
【実用新案登録請求の範囲】
【請求項１】
電動で振動され歯をブラッシングするブラシ部と、ブラシ部を支持して手で掴めるように筒形に形成された把手部と、把手部の内部に収容されブラシ部の駆動エネルギ源となるバッテリと、把手部の底部分に抜差し可能に設けられた蓋部と、蓋部に設けられバッテリの一方の極と接続して一部が把手部側へ突出されたリードとを備えた電動歯ブラシにおいて、蓋部はリードの突出部分の大部分が収容されるリードカバーが形成されていることを特徴とする電動歯ブラシ。
【請求項２】
請求項１の電動歯ブラシにおいて、リードの突出部分は板形に形成され、蓋部のリードカバーはリードの板形の突出部分が嵌合収容される樋形に形成されていることを特徴とする電動歯ブラシ。
【考案の詳細な説明】
【技術分野】
【０００１】
本考案は、ブラシ部を電動で振動させて歯をブラッシングする電動歯ブラシに係る技術分野に属する。
【背景技術】
【０００２】
電動歯ブラシとしては、ブラシ部を支持して手で掴めるように筒形に形成された把手部の内部にブラシ部の駆動エネルギ源となるバッテリを収容したものがある。このような電動歯ブラシでは、バッテリの交換を可能にするために、把手部の一部が着脱，分離，開閉等できるように構成されている。
【０００３】
従来、電動歯ブラシのバッテリ交換構造としては、例えば、把手部の底部分（ブラシ部の反対側）に抜差し可能な蓋部が設けられ、蓋部にバッテリの一方の極と接続して一部が把手部側へ突出されたリードを設けてなるものが知られている。
【０００４】
この従来の電動歯ブラシは、把手部の手が触れる中央部分を避けて蓋部を設けることで防水性を良好にするものである。
【考案の開示】
【考案が解決しようとする課題】
【０００５】
前述の従来の電動歯ブラシでは、バッテリ交換のために把手部に対して蓋部を抜差しするごとに、リードの突出部分が把手部等にぶつかって曲げ変形等してしまうため、短期間の使用で導通不良を引起こしてブラシ部が動作しなくなってしまうという問題点がある。
【０００６】
本考案は、このような問題点を考慮してなされたもので、導通不良の発生を防止して長期にブラシ部の動作を確保することのできる電動歯ブラシを提供することを課題とする。
【課題を解決するための手段】
【０００７】
前述の課題を解決するため、本考案に係る電動歯ブラシは、実用新案登録請求の範囲の各請求項に記載の手段を採用する。
【０００８】
即ち、請求項１では、電動で振動され歯をブラッシングするブラシ部と、ブラシ部を支持して手で掴めるように筒形に形成された把手部と、把手部の内部に収容されブラシ部の駆動エネルギ源となるバッテリと、把手部の底部分に抜差し可能に設けられた蓋部と、蓋部に設けられバッテリの一方の極と接続して一部が把手部側へ突出されたリードとを備えた電動歯ブラシにおいて、蓋部はリードの突出部分の大部分が収容されるリードカバーが形成されていることを特徴とする。
【０００９】
この手段では、リードの突出部分の大部分が蓋部のリードカバーによって保護され、バッテリ交換のために把手部に対して蓋部を抜差してもリードの突出部分が把手部等にぶつかって曲げ変形等してしまうことがない。
【００１０】
また、請求項２では、請求項１の電動歯ブラシにおいて、リードの突出部分は板形に形成され、蓋部のリードカバーはリードの板形の突出部分が嵌合収容される樋形に形成されていることを特徴とする。
【００１１】
この手段では、リードの板形の突出部分が蓋部の樋形のリードカバーに嵌合収容され、リードカバーからのリードの突出部分の不測の離脱が防止される。
【考案の効果】
【００１２】
本考案に係る電動歯ブラシは、リードの突出部分の大部分が蓋部のリードカバーによって保護され、バッテリ交換のために把手部に対して蓋部を抜差してもリードの突出部分が把手部等にぶつかって曲げ変形等してしまうことがないため、導通不良の発生を防止して長期にブラシ部の動作を確保することができる効果がある。
【００１３】
さらに、請求項２として、リードの板形の突出部分が蓋部の樋形のリードカバーに嵌合収容され、リードカバーからのリードの突出部分の不測の離脱が防止されるため、リードカバーによるリードの突出部分の保護がより確実になされる効果がある。
【考案を実施するための最良の形態】
【００１４】
以下、本考案に係る電動歯ブラシを実施するための最良の形態を図面に基づいて説明する。
【００１５】
この形態は、ブラシ部１，把手部２，バッテリ３，蓋部４，リード５を主要部として構成されている。
【００１６】
ブラシ部１は、電動で振動され歯をブラッシングするもので、多数本の合成樹脂線からなるブラシ１１が小片形の台板１２に植設されている。
【００１７】
把手部２は、ブラシ部１を固定的または着脱可能に支持して手で掴めるように筒形に形成されたてなるもので、手で掴みやすいように周面が前後側で異なる曲面２１，２２で形成されている。この把手部２の内部には、ブラシ部１寄りに図示しない振動モータ，電気回路盤等が収容され、ブラシ部１の反対側にバッテリ３が収容される。なお、前側の曲面２１のブラシ部１寄りには、電気回路盤に接続してブラシ部１の振動をＯＮ，ＯＦＦ操作するためのスイッチ６が設けられている。
【００１８】
バッテリ３は、ブラシ部１（振動モータ）の駆動エネルギ源となるもので、入手が容易な円柱形の乾電池が採用されている。このバッテリ３は、後述のように蓋部４に支持されて把手部２の内部に収容される。
【００１９】
蓋部４は、把手部２の底部分（ブラシ部１の反対側）に抜差し可能に設けられてなるもので、把手部２の内部に挿入される挿入部分４１と、挿入部分４１を把手部２の内壁に係合抜止めする係合部分４２と、挿入部分４１に凹形に堀込まれたカップ部分４３と、カップ部分４３の内面に軸方向延びた突条の支持枠４４と、挿入部分４１に連続して把手部２の内部に挿入されない栓部分４５と、挿入部分４１から把手部２側へ突出したリードカバー４６とを備えている。リードカバー４６は、図２に詳細に示されるように、基板４６ａの両側に起立板４６ｂが設けられた樋形（コ字形）に形成されている。この蓋部４は、カップ部分４３に挿入されたバッテリ３の側を支持枠４４で嵌合支持する。
【００２０】
リード５は、蓋部４に設けられバッテリ３のプラス極と接続するもので、蓋部４のカップ部分４３に収容されバッテリ３のプラス極に当接するリード座５１と、リード座５１と一体的に形成され屈曲されて把手部２側へ突出した板形のリード片５３とを備えている。リード片５３は、大部分が蓋部４の樋形のリードカバー４６に嵌合収容され、一部分が蓋部４の樋形のリードカバー４６から露出して蓋部４の把手部２への差込みで把手部２の内部に設けられているバッテリ３のマイナス極に接続されたリード等（図示せず）と接続されるようになっている。
【００２１】
この形態によると、バッテリ３の交換のために把手部２に対して蓋部４を抜差しする際に、リード５の突出部分（リード片５２）の大部分が蓋部４のリードカバー４６によって保護される。従って、把手部２に対する蓋部４の抜差しでリード５のリード片５２が把手部２等にぶつかって曲げ変形等してしまうことがないため、導通不良の発生を防止して長期にブラシ部１の動作を確保することができる。このため、耐久性能が向上する。
【００２２】
また、リード５の板形のリード片５２が蓋部４の樋形のリードカバー４６に嵌合収容され、リードカバー４６からのリード３のリード片５２の不測の離脱が防止されるため、リードカバー４６によるリード５のリード片５２の保護が確実になされる。このため、耐久性能がより向上する。
【００２３】
以上、図示した形態の外に、バッテリ３が把手部２側に支持されるものについても適用することができる。
【図面の簡単な説明】
【００２４】
【図１】本考案に係る電動歯ブラシを実施するための最良の形態の側面図である。
【図２】図１の要部の拡大斜視図である。
【符号の説明】
【００２５】
１            ブラシ部
２            把手部
３            バッテリ
４            蓋部
４６          リードカバー
５            リード
５２          リード片（突出部分）
【図１】
0003106360.tif 000003
【図２】
0003106360.tif 000004